(57)【要約】【課題】画像表示装置の位置に基づいて、画像表示装置の所有者にとって思い出深い画像を表示することが可能な画像表示装置を提供する。【解決手段】本画像表示装置は、画像を表示する携帯端末装置１であって、携帯端末装置１の現在位置に係る現在位置情報を取得するＧＰＳ信号受信部１０２と、デジタルカメラ部１０３により撮影された画像と当該画像が撮影された位置に係る撮影位置情報とを記憶する記憶部１０８と、撮影位置情報に係る位置と現在位置情報に係る位置との距離である第１の距離を算出する距離算出部１１と、記憶部１０８に記憶された画像であり、第１の距離が所定距離以上である撮影位置情報に係る画像の中から、表示対象となる画像を選択する画像選択部１２と、選択された画像を表示する表示部１０４と、を備える。【選択図】図１
2012034107.tif 000002
【特許請求の範囲】
【請求項１】
画像を表示する画像表示装置であって、
当該画像表示装置の現在位置に係る現在位置情報を取得する位置情報取得部と、
撮影装置により撮影された画像と当該画像が撮影された位置に係る撮影位置情報とを記憶する記憶部と、
前記記憶部に記憶された前記撮影位置情報に係る位置と前記位置情報取得部により取得された前記現在位置情報に係る位置との距離である第１の距離を算出する距離算出部と、
前記記憶部に記憶された画像であり、前記距離算出部により算出された前記第１の距離が所定距離以上である撮影位置情報に係る画像の中から、表示対象となる画像を選択する画像選択部と、
前記画像選択部により選択された画像を、当該画像表示装置が有する表示部へ表示し、もしくは、外部装置に表示させる画像表示部と、
を備える画像表示装置。
【請求項２】
請求項１に記載の画像表示装置であって、
前記距離算出部は、前記第１の距離とともに、前記記憶部に記憶された前記撮影位置情報に係る位置と当該画像表示装置の所有者の生活圏の位置との距離である第２の距離を算出し、
前記画像選択部は、前記距離算出部により算出された前記第１の距離及び前記第２の距離が所定距離以上である撮影位置情報に係る画像の中から表示対象となる画像を選択する画像表示装置。
【請求項３】
請求項１または２に記載の画像表示装置であって、
特定の施設または特定の場所を示す情報を提供する地図情報サーバと通信を行う通信部を備え、
前記画像選択部は、前記距離算出部により算出された少なくとも前記第１の距離が所定距離以上である撮影位置情報に係る画像であり、かつ、前記通信部を介して前記地図情報サーバより得た情報から当該撮影位置情報に係る位置が特定の施設または特定の場所の位置であると判断された画像の中から、表示対象となる画像を選択する画像表示装置。
【請求項４】
請求項１ないし３のいずれか１項に記載の画像表示装置であって、
前記画像選択部は、前記距離算出部により算出された距離が所定距離以上である撮影位置情報に係る画像であり、かつ、当該撮影位置情報に係る位置が所定範囲内にある画像の中から、表示対象となる画像を選択する画像表示装置。
【請求項５】
画像を表示する画像表示装置であって、
当該画像表示装置の所有者の生活圏の位置情報を取得する位置情報取得部と、
撮影装置により撮影された画像と当該画像が撮影された位置に係る撮影位置情報とを記憶する記憶部と、
前記記憶部に記憶された前記撮影位置情報に係る位置と前記位置情報取得部により取得された前記生活圏の位置との距離を算出する距離算出部と、
前記記憶部に記憶された画像であり、前記距離算出部により算出された前記距離が所定距離以上である撮影位置情報に係る画像の中から、表示対象となる画像を選択する画像選択部と、
前記画像選択部により選択された画像を、当該画像表示装置が有する表示部へ表示し、もしくは、外部装置に表示させる画像表示部と、
を備える画像表示装置。
【請求項６】
画像表示装置の現在位置に係る現在位置情報を取得するステップと、
撮影装置により撮影された画像と当該画像が撮影された位置に係る撮影位置情報とを記憶する記憶部に記憶された前記撮影位置情報に係る位置と、前記位置情報取得部により取得された前記現在位置情報に係る位置と、の距離である第１の距離を算出する距離算出ステップと、
前記記憶部に記憶された画像であり、前記算出された前記第１の距離が所定距離以上である撮影位置情報に係る画像の中から、表示対象となる画像を選択するステップと、
前記選択された画像を、当該画像表示装置が有する表示部へ表示し、もしくは、外部装置に表示させるステップと、
を有する画像表示方法。
【請求項７】
コンピュータに、
画像表示装置の現在位置に係る現在位置情報を取得するステップと、
撮影装置により撮影された画像と当該画像が撮影された位置に係る撮影位置情報とを記憶する記憶部に記憶された前記撮影位置情報に係る位置と、前記位置情報取得部により取得された前記現在位置情報に係る位置と、の距離である第１の距離を算出する距離算出ステップと、
前記記憶部に記憶された画像であり、前記算出された前記第１の距離が所定距離以上である撮影位置情報に係る画像の中から、表示対象となる画像を選択するステップと、
前記選択された画像を、当該コンピュータが有する表示部へ表示し、もしくは、外部装置に表示させるステップと、
を実行させるための画像表示プログラム。
【発明の詳細な説明】
【技術分野】
【０００１】
本発明は、画像表示装置、画像表示方法、及び画像表示プログラムに関する。
【背景技術】
【０００２】
従来、携帯端末の現在位置に係る位置情報に基づいて、その位置で過去に撮影された画像を、携帯端末もしくは携帯端末から画像等を受信した外部装置上で表示することが一般的に行われている。
【０００３】
例えば、携帯端末から映像情報とこの映像情報に係る位置情報とこの映像情報に係る時刻情報とを外部装置が受信し、この外部装置が携帯端末から受信した映像情報と位置情報と時刻情報とをリスト状にして表示画面に表示することが知られている（例えば、特許文献１参照）。これにより、過去のコンテンツの見直しを行う機会や思い出を想起する機会を提供することができる。
【０００４】
また、例えば、携帯電話機内に記憶された待受け画像に関連付けられた位置と、現在位置との間の距離を算出し、算出された距離が最も小さい待ち受け画像を待ち受け画面に表示することが知られている（例えば、特許文献２参照）。これにより、飽きの来ない待ち受け画像を表示することができ、画像を撮影したときの思い出を振り返ることができる。
【先行技術文献】
【特許文献】
【０００５】
【特許文献１】特開２００３−２２４８７７号公報
【特許文献２】特開２００４−３０４３４０号公報
【発明の概要】
【発明が解決しようとする課題】
【０００６】
しかしながら、携帯端末等の現在位置と同位置で過去に撮影された画像であっても、例えば近所の写真等は思い出深い写真である可能性が低く、思い出を振り返るために表示する必要性は低いと考えられる。
【０００７】
本発明は、上記事情に鑑みてなされたものであって、画像表示装置の位置に基づいて、画像表示装置の所有者にとって思い出深い画像を表示することが可能な画像表示装置、画像表示方法、及び画像表示プログラムを提供することを目的とする。
【課題を解決するための手段】
【０００８】
本発明の第１の態様に係る画像表示装置は、画像を表示する画像表示装置であって、当該画像表示装置の現在位置に係る現在位置情報を取得する位置情報取得部と、撮影装置により撮影された画像と当該画像が撮影された位置に係る撮影位置情報とを記憶する記憶部と、前記記憶部に記憶された前記撮影位置情報に係る位置と前記位置情報取得部により取得された前記現在位置情報に係る位置との距離である第１の距離を算出する距離算出部と、前記記憶部に記憶された画像であり、前記距離算出部により算出された前記第１の距離が所定距離以上である撮影位置情報に係る画像の中から、表示対象となる画像を選択する画像選択部と、前記画像選択部により選択された画像を、当該画像表示装置が有する表示部へ表示し、もしくは、外部装置に表示させる画像表示部と、を備える。
【０００９】
また、本発明の第２の態様に係る画像表示装置は、前記距離算出部が、前記第１の距離とともに、前記記憶部に記憶された前記撮影位置情報に係る位置と当該画像表示装置の所有者の生活圏の位置との距離である第２の距離を算出し、前記画像選択部が、前記距離算出部により算出された前記第１の距離及び前記第２の距離が所定距離以上である撮影位置情報に係る画像の中から表示対象となる画像を選択する。
【００１０】
また、本発明の第３の態様に係る画像表示装置は、特定の施設または特定の場所を示す地図情報サーバと通信を行う通信部を備え、前記画像選択部が、前記距離算出部により算出された少なくとも前記第１の距離が所定距離以上である撮影位置情報に係る画像であり、かつ、前記通信部を介して前記地図情報サーバより得た情報から当該撮影位置情報に係る位置が特定の施設または特定の場所であると判断された画像の中から、表示対象となる画像を選択する。
【００１１】
また、本発明の第４の態様に係る画像表示装置は、前記画像選択部が、前記距離算出部により算出された距離が所定距離以上である撮影位置情報に係る画像であり、かつ、当該撮影位置情報に係る位置が所定範囲内にある画像の中から、表示対象となる画像を選択する。
【００１２】
また、本発明の第５の態様に係る画像表示装置は、画像を表示する画像表示装置であって、当該画像表示装置の所有者の生活圏の位置情報を取得する位置情報取得部と、撮影装置により撮影された画像と当該画像が撮影された位置に係る撮影位置情報とを記憶する記憶部と、前記記憶部に記憶された前記撮影位置情報に係る位置と前記位置情報取得部により取得された前記生活圏の位置との距離を算出する距離算出部と、前記記憶部に記憶された画像であり、前記距離算出部により算出された前記距離が所定距離以上である撮影位置情報に係る画像の中から、表示対象となる画像を選択する画像選択部と、前記画像選択部により選択された画像を、当該画像表示装置が有する表示部へ表示し、もしくは、外部装置に表示させる画像表示部と、を備える。
【００１３】
また、本発明の第６の態様に係る画像表示方法は、撮影装置により撮影された画像と当該画像が撮影された位置に係る撮影位置情報とを記憶する記憶部に記憶された前記撮影位置情報に係る位置と、前記位置情報取得部により取得された前記現在位置情報に係る位置と、の距離である第１の距離を算出する距離算出ステップと、前記記憶部に記憶された画像であり、前記算出された前記第１の距離が所定距離以上である撮影位置情報に係る画像の中から、表示対象となる画像を選択するステップと、前記選択された画像を、当該画像表示装置が有する表示部へ表示し、もしくは、外部装置に表示させるステップと、を有する。
【００１４】
また、本発明の第７の態様に係る画像表示プログラムは、コンピュータに、画像表示装置の現在位置に係る現在位置情報を取得するステップと、撮影装置により撮影された画像と当該画像が撮影された位置に係る撮影位置情報とを記憶する記憶部に記憶された前記撮影位置情報に係る位置と、前記位置情報取得部により取得された前記現在位置情報に係る位置と、の距離である第１の距離を算出する距離算出ステップと、前記記憶部に記憶された画像であり、前記算出された前記第１の距離が所定距離以上である撮影位置情報に係る画像の中から、表示対象となる画像を選択するステップと、前記選択された画像を、当該コンピュータが有する表示部へ表示し、もしくは、外部装置に表示させるステップと、を実行させるための画像表示プログラムである。
【発明の効果】
【００１５】
本発明の第１の態様に係る画像表示装置によれば、画像表示装置の現在の位置から離れた画像を選択して表示するので、画像表示装置の所有者にとって思い出深い画像を表示することが可能である。
【００１６】
また、本発明の第２の態様に係る画像表示装置によれば、例えば旅行先にて画像を表示しようとしたときに、所有者の生活圏で撮影された日常見慣れた画像が表示されることを防止でき、思い出深い画像を表示することができる。
【００１７】
また、本発明の第３の態様に係る画像表示装置によれば、観光地などの特定の場所または施設を旅行したときの画像を選択することができ、思い出深い画像を表示することができる。
【００１８】
また、本発明の第４の態様に係る画像表示装置によれば、旅行先では多数の写真等の画像を撮影する可能性があるが、所定距離範囲内にあればこれらの画像を表示候補とすることができ、所定距離範囲内で撮影された複数の画像を表示すべき画像の候補とすることができる。
【００１９】
また、本発明の第５の態様に係る画像表示装置によれば、生活圏から離れた場所で撮影された画像を選択して表示するので、所有者の生活圏で撮影された日常見慣れた画像が表示される事を防ぎ、普段見慣れていない景色の画像など思い出深い画像を表示することができる。
【００２０】
また、本発明の第６の態様に係る画像表示方法によれば、画像表示装置の位置に基づいて、画像表示装置の所有者にとって思い出深い画像を表示することが可能である。
【００２１】
また、本発明の第７の態様に係る画像表示プログラムによれば、画像表示装置の位置に基づいて、画像表示装置の所有者にとって思い出深い画像を表示することが可能である。
【図面の簡単な説明】
【００２２】
【図１】本発明の実施形態における携帯端末装置の概略構成を示すブロック図
【図２】本発明の実施形態における携帯端末装置の動作の一例を示すフローチャート
【図３】本発明の実施形態における携帯端末装置の現在位置と画像の撮影位置との関係を説明するための図
【図４】本発明の実施形態における表示部で表示される画像の第１例を示す図
【図５】本発明の実施形態における表示部で表示される画像の第２例を示す図
【発明を実施するための形態】
【００２３】
以下、本発明の実施形態における画像表示装置、画像表示方法、及び画像表示プログラムについて、図面を用いて詳細に説明する。
【００２４】
図１は、本発明の実施形態における携帯端末装置の概略構成を示すブロック図である。図１に示す携帯端末装置１は、制御部１０１、ＧＰＳ信号受信部１０２、デジタルカメラ部１０３、表示部１０４、発光部１０５、バイブレーションユニット部１０６、ネットワークインタフェース部（ネットワークＩ／Ｆ部）１０７、記憶部１０８、操作部１０９、タイマ１１０、音声処理部１１１、方位センサ部１１２、外部インタフェース部（外部Ｉ／Ｆ部）１１３、を有して構成される。なお、携帯電話等の携帯端末装置１は、画像表示装置の一例であり、他には携帯情報処理装置（ＰＣ、ＰＤＡ）、デジタルカメラ装置、デジタルフォトフレーム装置、などが考えられる。
【００２５】
制御部１０１は、携帯端末装置１の各構成部を制御する。また、制御部１０１は、距離算出部１１及び画像選択部１２を有する。距離算出部１１は、携帯端末装置１の位置等と記憶部１０８に記憶された画像が撮影された位置等との距離を算出したり、その他距離を算出するために必要な処理を行ったりする。画像選択部１２は、記憶部１０８に記憶された複数の画像から表示部１０４により表示させる画像を選択したり、その他画像を選択するために必要な処理を行ったりする。なお、画像には、静止画像及び動画像の少なくとも一方が含まれる。
【００２６】
ＧＰＳ信号受信部１０２は、ＧＰＳ（Global Positioning System）により、ＧＰＳ信号を受信し、携帯端末装置１の現在の位置に係る現在位置情報等を取得する。
【００２７】
デジタルカメラ部１０３は、撮影装置として機能し、携帯端末装置１の周囲を撮影し、制御部１０１を介して、撮影された画像を記憶部１０８に記憶させる。また、デジタルカメラ部１０３は、記憶部１０８に、撮影された位置に係る撮影位置情報も記憶させる。より具体的には、デジタルカメラ部１０３は、画像の撮影時に制御部１０１を介してＧＰＳ信号受信部１０２から現在位置情報等を受け取り、記憶部１０８に撮影した画像と、受け取った現在位置情報とを記憶させる。また、デジタルカメラ部１０３は、記憶部１０８に、撮影された時刻に係る撮影時刻情報を記憶させてもよい。
【００２８】
表示部１０４は、各種情報を表示するものであり、待ち受け画像等を表示する。発光部１０５は、ＬＥＤ等であり、発光により報知する報知手段の１つである。バイブレーションユニット部１０６は、振動により報知する報知手段の１つである。
【００２９】
ネットワークインタフェース部１０７は、有線又は無線により外部の通信装置と携帯端末装置１とを接続し、携帯端末装置１とこの通信装置との間で通信を行うためのインタフェースであり、通信部としての機能を有する。例えば、ネットワークインタフェース部１０７を介して、外部ネットワーク装置２０１や地図情報サーバ２０２が接続される。外部ネットワーク装置２０１は、例えば携帯電話システムの基地局である。なお、携帯端末装置１は、ＧＰＳの代わりに携帯端末装置１と外部ネットワーク装置２０１との通信により、現在通信中の基地局のＩＤを取得することでも携帯端末装置１の現在位置を認識することができる。地図情報サーバ２０２は、地図に関する情報を提供するサーバである。例えば、携帯端末装置１は、ＧＰＳ信号受信部１０２により取得した現在位置情報を地図情報サーバ２０２へ送り、地図情報サーバ２０２は、その位置に係る地図情報（海、山、観光地などの情報）を携帯端末装置１へ通知する。これにより、携帯端末装置１は地図情報サーバ２０２から現在の位置に係る地図情報を取得することができる。
【００３０】
記憶部１０８は、各種情報を記憶する。例えば、デジタルカメラ部１０３によって撮影された撮影画像及びこれに係る撮影位置情報（例えば、ＧＰＳ機能により取得された緯度・経度・高度の情報、基地局のＩＤ等）、撮影時刻情報等を記憶する。また、例えば、表示部１０４に待ち受け画像等として表示させる画像を選択するための表示設定情報を記憶する。
【００３１】
操作部１０９は、テンキーや方向キーなどの各キー、タッチパッド、タッチパネル等により構成される。操作部１０９への操作により各種情報の入力が可能である。タイマ１１０は、時間を計時する。音声処理部１１１は、音声データ等に対して各種音声処理を行う。方位センサ部１１２は、携帯端末装置１を基準とした方位を検出する。外部インタフェース部１１３は、携帯端末装置１と外部装置２０３とを有線又は無線により接続するためのインタフェースである。
【００３２】
なお、携帯端末装置１が実行する処理を機能的に実現するために、本実施形態で説明する画像表示方法の各ステップを実行させるための画像表示プログラムが、携帯端末装置１内の所定のメモリに格納されてもよい。
【００３３】
次に、携帯端末装置１の動作について説明する。
図２は、携帯端末装置１の動作の一例を示すフローチャートである。なお、記憶部１０８には、あらかじめデジタルカメラ部１０３により撮影された画像等が記憶されているものとする。
【００３４】
まず、ＧＰＳ信号受信部１０２は、携帯端末装置１の現在位置に係る現在位置情報（緯度・経度・高度等）を取得する（ステップＳ１１）。現在位置については、ＧＰＳ以外の他の方法によって取得してもよく、例えば携帯端末装置１が基地局から現在位置の情報（基地局のＩＤ等）を取得するようにしてもよい。
【００３５】
続いて、制御部１０１の距離算出部１１は、記憶部１０８を参照し、記憶された各画像に係る各撮影位置情報を取得する。そして、制御部１０１の距離算出部１１は、各撮影位置情報が示す位置と携帯端末装置１の現在位置との各距離を算出する（ステップＳ１２）。なお、距離を算出する手段としては様々なものが考えられる。一例として、緯度と経度の情報が得られている場合には、その緯度差と経度差を、地球の表面における距離の差に変換した上で、二乗和の平方根を取れば、距離を求めることができる。
【００３６】
続いて、制御部１０１の画像選択部１２は、算出された各距離が所定距離の範囲内であるか否かを判定する（ステップＳ１３）。
【００３７】
ここで、上記所定距離の範囲内について説明する。本実施形態では、所定距離の範囲内として以下の４パターンを想定している。図３は、携帯端末装置１の現在位置と画像の撮影位置との関係を説明するための図である。
【００３８】
第１に、図３（Ａ）に示すように、携帯端末装置１の現在位置（現在地）から画像の撮影位置までの距離がＸ以上の範囲である。この場合、現在位置の周辺の画像が表示対象として選択されることを回避することができる。
【００３９】
第２に、図３（Ｂ）に示すように、携帯端末装置１の現在位置から画像の撮影位置までの距離がＸ以上であり、かつ、携帯端末装置１の現在位置から距離Ｘ以上離れた基準位置Ｏから画像の撮影位置までの距離がＹ未満の範囲である。なお、基準位置Ｏはあらかじめ設定しておく。この場合、例えば特定の旅行中に撮影された画像を好適に抽出することが可能である。なお、基準位置Ｏは、ユーザが手動で設定するものに限らず、現在位置からの距離がＸ以上である画像の位置の中からランダムに選ばれるなどとしても良い。この範囲の抽出は、例えば、ある地方に旅行した際に、その旅行中に同じ地方で撮った写真を抽出する場合に便利である。
【００４０】
第３に、図３（Ｃ）に示すように、携帯端末装置１の現在位置から距離Ｘの位置からの距離がＹ未満の範囲である。つまり、携帯端末装置１の現在位置から画像の撮影位置までの距離がＸ−Ｙ以上Ｘ＋Ｙ未満の範囲である。この場合、携帯端末装置１の現在位置からの距離がＸの位置を中心として画像を好適に抽出することが可能である。また、この範囲の抽出では、基準位置Ｏは設けないので、より広い範囲から画像が選択される。この条件は、例えば、現在位置から遠い場所で撮影した画像を広く抽出したい場合に便利である。
【００４１】
第４に、図３（Ｄ）に示すように、画像の撮影位置が、携帯端末装置１の現在位置から距離Ｘの位置からの距離がＹ未満の範囲であり、距離Ｘ未満の領域を除外した範囲である。つまり、携帯端末装置１の現在位置から画像の撮影位置までの距離がＸ以上Ｘ＋Ｙ未満の範囲である。この場合、携帯端末装置１の現在位置からの距離がＸの位置から所定の距離（Ｘ＋Ｙ）までの間の画像を好適に抽出することが可能である。この範囲は、図３（Ｃ）の範囲に良く似ているが、距離Ｘと距離Ｙとが非常に近く、Ｘ−Ｙが現在地の近傍なども含んでしまう場合に便利である。すなわち、最低限距離Ｘ離れた場所で撮影された画像しか抽出されないので、極端に近い位置で撮影した画像を除外することができる。
【００４２】
なお、上記では、現在位置を中心とした円状の範囲を元に画像を除外していたが、これに限られるものではない。正方形や長方形、三角形、楕円など、他の形状の範囲を元に画像を除外するとしてもよい。また、使用者が画像を除外する範囲の形状を指定できるとしてもよい。このような除外方法は、例えば、現在位置からほぼ同等の距離を持つ画像であっても、現在位置から見て特定の方向（例えば、自宅の所在地の方向など）には思い出との関連が薄い画像が多いことが分かっている場合などに有益である。
【００４３】
図２に戻り、距離算出部１１により算出された距離が所定距離の範囲内である場合、制御部１０１の画像選択部１２は、記憶部１０８に記憶された該当する画像に係るフラグを「１」とする（ステップＳ１４）。これにより、携帯端末装置１の現在位置と画像が撮影された位置とが所望の距離にある画像のみが、表示候補として指定される。
【００４４】
続いて、制御部１０１の画像選択部１２は、記憶部１０８に記憶された表示設定情報を確認する（ステップＳ１５）。表示設定情報は、記憶部１０８に記憶された表示候補としての複数の画像から、表示部１０４に表示させる画像を選択するための情報である。表示設定情報には、画像を選択するための優先順位に関する設定情報が含まれる。表示設定としては、距離が優先される距離優先設定、撮影日時が優先される撮影日時優先設定、表示日時が優先される表示日時優先設定、特定の顔や人物が撮影された画像が優先される画像認識優先設定、などがある。
【００４５】
続いて、制御部１０１の画像選択部１２は、表示設定情報に基づいて、フラグが「１」とされた表示候補の中から、表示部１０４により表示される画像を選択する（ステップＳ１６）。画像を選択する際には、例えば、画像選択部１２が乱数を発生させ、その乱数に基づいて特定の画像をランダムに選択してもよいし、表示候補が優先順に表示部１０４に一覧表示され、一覧表示された画像の中から操作部１０９を介して特定の画像を選択してもよい。
【００４６】
具体的には、各表示設定の場合には、以下のような画像が選択される。まず、距離優先設定の場合には、距離算出部１１により算出された距離を基準に、最も遠距離で撮影された画像であるなど、特定の位置で撮影された画像を選択することができる。また、撮影日時優先設定の場合には、記憶部１０８に記憶された撮影時刻情報に係る撮影時刻を基準に、最も新しい画像であるなど、特定の時刻に撮影された画像を選択することができる。また、表示日時優先設定の場合には、表示部１０４に表示した時刻に係る表示時刻情報を記憶部１０８が画像と共に保持しておき、その表示時刻を基準に、特定の時刻に表示部１０４に表示された画像（例えば、最近表示された画像やしばらく表示されていない画像）を選択することができる。また、画像認識優先設定の場合には、画像選択部１２があらかじめ特定の顔等の特徴を保持しておき、画像選択部１２が記憶部１０８に記憶された撮影画像に対して顔認識処理等を行い、認識された顔等の特徴が保持された顔等の特徴と一致もしくは類似した画像を選択することができる。この他にも、撮影日時優先設定の他のバリエーションとして、一年前の同日など、現在の日時と関連の深い日時に撮影された画像を選択するなどとしてもよい。
【００４７】
続いて、表示部１０４は、画像選択部１２により選択された画像を表示する。
【００４８】
なお、携帯端末装置１の現在位置から所定距離の範囲にある位置で撮影されたことのみを表示候補の条件とするのではなく、さらに、生活圏としての自宅から所定距離未満（自宅周辺）の位置で撮影された画像以外を表示候補とするようにしてもよい。つまり、生活圏からの距離が所定距離以上である撮影位置で撮影されたことも表示候補の条件としてもよい。この場合、携帯端末装置１の所有者の生活圏の画像が表示対象として選択されることを回避することができる。なお、自宅の位置を判断する方法としては、所定期間（例えば一週間）で定期的に取得されたＧＰＳ受信信号から、平均の位置を自宅と判断してもよいし、あらかじめ自宅の位置情報を携帯端末装置１に登録しておいてもよい。
【００４９】
また、携帯端末装置１の現在位置から所定距離の範囲にある位置で撮影されたこと、もしくは携帯端末装置１の現在位置及び自宅の双方から所定距離以上の位置で撮影されたこと、のみを表示候補の条件とするのではなく、さらに、地図情報サーバ２０２から観光地であることを通知された位置で撮影されたことも表示候補の条件としてもよい。
【００５０】
画像選択部１２は、自宅の位置も表示候補の条件として考慮するか否か、観光地であるか否かも表示候補の条件として考慮するか否か、を表示候補条件情報として保持しておき、この表示候補条件情報に基づいて、記憶部１０８に記憶された複数の画像から表示候補を指定することができる。これにより、例えば、会社の出張先など、携帯端末装置１の所有者にとっての思い出とは関連が薄いが、距離が遠い画像などを表示の候補から外すことができる。
【００５１】
このように、携帯端末装置１の現在位置と過去に撮影された画像の撮影位置との距離が少なくとも所定距離以上である画像を表示候補として指定することで、携帯端末装置１の所有者にとって思い出深い画像を選択することが可能である。
【００５２】
次に、携帯端末装置１の表示部１０４で表示される画像の具体例について説明する。
【００５３】
図４は、表示部１０４で表示される画像の第１例を示す図である。
図４に示す例では、人物３０１が携帯端末装置１を所有しており、現在地が自宅３０２周辺である場合を想定している。この場合、現在地から所定距離の範囲にある位置で撮影された画像（ここでは遠隔地にある山の画像３０３や海の画像３０４）が選択され、表示部１０４に表示される。なお、現在地周辺で撮影された向日葵の画像３０５は表示候補とされず、つまり表示部１０４には表示されない。
【００５４】
図５は、表示部１０４で表示される画像の第２例を示す図である。
図５に示す例では、人物３０１が携帯端末装置１を所有しており、現在地が自宅３０２周辺でない場合を想定している。この場合、自宅を考慮する旨の情報を含む表示候補条件情報が画像選択部１２に保持されているときには、現在地から所定距離の範囲にある位置で撮影された画像であり、かつ、自宅３０２周辺で撮影された画像でないものが選択され、表示部１０４に表示される。つまり、現在地から所定距離の範囲にある位置で撮影された遠隔地にある山の画像３０３が表示され、現在地周辺で撮影された海の画像３０４や、自宅３０２周辺で撮影された向日葵の画像３０５は表示されない。
【００５５】
なお、この例は、現在地から離れた位置で撮影され、かつ、生活圏から離れた位置で撮影された画像を抽出する例であるが、この限りではない。現在地からの距離を考慮せず、生活圏から離れた位置で撮影された画像を抽出するとしても良い。
【００５６】
このような本実施形態の携帯端末装置１によれば、携帯端末装置１の所在する位置に基づいて、携帯端末装置１の所有者にとって思い出深い画像を表示することが可能である。つまり、現在の所在地周辺で撮影された画像や生活圏である自宅周辺で撮影された画像は所有者が見慣れた景色等である可能性が高いため、これらの画像以外から選択することで、飽きのこない画像を表示することができる。
【００５７】
なお、本実施形態では、携帯端末装置１を例として、画像の撮影と表示の両方を１つの装置で行うものとしたが、これに限られるものではない。例えば、制御部１０１は、表示部１０４の代わりに、携帯端末装置１に接続された外部装置２０３（例えば、フォトフレームなど）に選択した画像を表示してもよい。また、携帯端末装置１自身が撮影した画像に限らず、携帯端末装置１が他のカメラ等から撮影した画像およびその撮影位置の情報を受信してその画像から表示すべき画像を選択するとしてもよい。
【００５８】
また、本実施形態では、携帯端末装置１の所有者による操作を受けて画像を選択および表示していたが、これに限られるものではない。例えば、予め指定された日時などに画像選択部１２が画像を選択して表示するなどとしても良い。また、フォトフレーム等の外部装置２０３に画像を表示する場合、携帯端末装置１が、外部Ｉ／Ｆ部１１３により、選択した画像を外部装置２０３に転送するなどとしてもよい。これにより、例えば、過去に旅行に行ったと同じ日等が近づくと、携帯電話の待ち受け画面やフォトフレームに過去の旅行先の写真が表示するなどの制御を行うことができる。
【００５９】
また、本実施形態では、サーバから観光地の情報を得て、観光地で撮影したと推測される画像を選択する例を開示しているが、これに限られるものではない。サーバから取得する情報は、観光地の情報に限らない。例えば、駅や飛行場などの交通施設や、学校などにおいても、携帯端末装置１の所有者にとって思い深い画像が撮影されている可能性が高い。従ってこれらの情報をサーバから取得するとしても良い。また、どのような情報をサーバから取得して画像の選択に用いるかを携帯端末装置１の所有者自身が指定できるとしてもよい。すなわち、サーバから取得する情報は、特定の施設または特定の場所を示す情報であれば十分であり、具体的にどのような施設や場所の情報を用いるかは多様な選択肢が考えられる。さらに、情報の取得元もサーバには限らない。例えば、携帯端末装置１の所有者が操作部１０９を介して指定できるとしてもよい。これにより、例えば、親戚の家などを指定すれば、親戚の集まりなどの画像を優先的に選択することができるようになる。
【００６０】
また、本実施形態では、画像を選択する際に、一旦フラグを設定することで表示候補として指定し、その上で指定された画像の中から表示する画像を選択するとしていたが、これに限られるものではない。例えば、一番最初に見つかった、条件に合う画像を表示するなどとしても良い。
【００６１】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００６２】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【００６３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【００６４】
また、上述した実施の形態およびその変形例を組み合わせてもよい。
【産業上の利用可能性】
【００６５】
本発明は、画像表示装置の位置に基づいて、画像表示装置の所有者にとって思い出深い画像を表示することが可能な画像表示装置、画像表示方法、及び画像表示プログラム等に有用である。
【符号の説明】
【００６６】
１  携帯端末装置
１１  距離算出部
１２  画像選択部
１０１  制御部
１０２  ＧＰＳ信号受信部
１０３  デジタルカメラ部
１０４  表示部
１０５  発光部
１０６  バイブレーションユニット部
１０７  ネットワークＩ／Ｆ部
１０８  記憶部
１０９  操作部
１１０  タイマ
１１１  音声処理部
１１２  方位センサ部
１１３  外部Ｉ／Ｆ部
２０１  外部ネットワーク装置
２０２  地図情報サーバ
２０３  外部装置
【図１】
2012034107.tif 000003
【図２】
2012034107.tif 000004
【図３】
2012034107.tif 000005
【図４】
2012034107.tif 000006
【図５】
2012034107.tif 000007